【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
ネットワーク通信の伝送方式を決定する方法において、
第１ノードから少なくとも１つのパケットを第２ノードに第１伝送方式で伝送する第１伝送ステップと、
前記第１伝送方式を使用する必要があるか否かを前記第１ノードにおいて判定する第１判定ステップと、
前記第１伝送方式を使用する必要がないと判定した場合に、前記第１ノードから少なくとも１つのパケットを前記第２ノードに第２伝送方式で伝送する第２伝送ステップと、
該第２伝送ステップにより前記第２伝送方式で前記第２ノードに伝送された前記少なくとも１つのパケットに対する応答パケットが、前記第１ノードにおいて受信されたか否かを判定する第２判定ステップと、
該第２判定ステップにより前記応答パケットが受信されたと判定された場合に、前記第１ノードの前記第２伝送方式に従って前記第２ノードと通信するように構成する第１構成ステップと
を備えたことを特徴とする方法。
【請求項２】
請求項１において、前記第１伝送方式は、ユニキャスト伝送方式であることを特徴する方法。
【請求項３】
請求項１において、前記第２伝送方式は、マルチキャスト伝送方式であることを特徴する方法。
【請求項４】
請求項１において、前記第１伝送ステップは、前記第１ノードにおいてインディケーションが受信されるまで、前記少なくとも１つのパケットを前記第１伝送方式で前記第２ノードに伝送することを特徴とする方法。
【請求項５】
請求項４において、前記インディケーションは、前記第１伝送方式で前記第２ノードに予め定めた数のパケットが伝送されたことであることを特徴とする方法。
【請求項６】
請求項４において、前記インディケーションは、前記第２ノードからの応答パケットであることを特徴とする方法。
【請求項７】
請求項１において、前記第２伝送ステップは、前記第１ノードにおいてインディケーションが受信されるまで、前記少なくとも１つのパケットを前記第２伝送方式で前記第２ノードに伝送することを特徴とする方法。
【請求項８】
請求項７において、前記インディケーションは、前記第２伝送方式で前記第２ノードに予め定めた数のパケットが伝送されたことであることを特徴とする方法。
【請求項９】
請求項７において、前記インディケーションは、前記第２ノードからの応答パケットであることを特徴とする方法。
【請求項１０】
請求項１において、前記第１伝送方式が使用される場合に、前記第１ノードの第１伝送方式に従って前記第２ノードと通信するように構成する第２構成ステップをさらに備えたことを特徴とする方法。
【請求項１１】
請求項１０において、前記第２構成ステップは、
前記第１ノードの第１伝送方式で前記第２ノードに伝送された少なくとも１つのパケットに対する応答パケットを受信するステップと、
前記第１伝送方式で受信された前記応答パケットからのアドレスを使用するステップと
をさらに備えたことを特徴とする方法。
【請求項１２】
請求項１０において、前記第２構成ステップは、前記第１ノードからのＩＰアドレスを使用するステップをさらに備えたことを特徴とする方法。
【請求項１３】
請求項１において、前記第２伝送方式で伝送された応答パケットが前記第１ノードで受信されなかった場合に、前記第２伝送方式を使用する必要があるか否かを判定するステップと、
前記第２伝送方式を使用する必要がない判定した場合に、前記第１ノードの前記第１伝送方式に従って、前記第２ノードと通信するように構成するステップと
をさらに備えたことを特徴とする方法。
【請求項１４】
請求項１３において、前記第２伝送方式が使用する必要があると判定した場合に、前記第１伝送方式で前記第２ノードに伝送された少なくとも１つのパケットに対する応答パケットが、前記第１ノードにおいて受信されたか否かを判定するステップと、
前記第１ノードにおいて前記応答パケットが受信されたと判定した場合に、前記第１ノードの前記第２伝送方式に従い、該応答パケットからのアドレスを用いて、前記第２ノードと通信するように構成するステップと
をさらに備えたことを特徴とする方法。
【請求項１５】
請求項１４において、前記応答パケットが前記第１ノードにおいて受信されなかったと判定した場合に、前記第１ノードの前記第２伝送方式に従い、該第１ノードからのＩＰアドレスを用いて、前記第２ノードと通信するように構成するステップをさらに備えたことを特徴とする方法。
【請求項１６】
少なくとも１つのパケットを第１ノードに第１伝送方式で伝送する手順と、
前記第１伝送方式を使用するか否かを判定する手順と、
前記第１伝送方式を使用すると判定した場合に、該第１伝送方式で前記第１ノードに伝送した前記少なくとも１つのパケットに対する応答パケットを、前記第１ノードから受信したか否かを判定する手順と、
前記応答パケットを受信したと判定した場合に、前記第１伝送方式に従い、前記応答パケットからのアドレスを用いて、前記第１ノードと通信するように構成する手順と
をコンピュータに実行させるプログラムを記憶したコンピュータ読み取り可能な媒体。
【請求項１７】
請求項１６において、前記応答パケットを前記第１ノードから受信しなかったと判定した場合に、前記第１伝送方式に従い、前記コンピュータのＩＰアドレスを用いて、前記第１ノードと通信するように構成する手順をさらにコンピュータに実行させるプログラムを記憶したコンピュータ読み取り可能な媒体。
【請求項１８】
請求項１６において、前記第１伝送方式が必要でないと判定した場合に、少なくとも１つのパケットを、前記第１ノードに、第２伝送方式で伝送する手順と、
前記第１ノードに前記第２伝送方式で伝送した前記少なくとも１つのパケットに対する応答パケットを、前記第１ノードから受信したか否かを判定する手順と、
前記応答パケットを前記第１ノードから受信したと判定した場合に、前記第２伝送方式に従って前記第１ノードと通信するように構成する手順と
をさらにコンピュータに実行させるプログラムを記憶したコンピュータ読み取り可能な媒体。
【請求項１９】
請求項１８において、
前記応答パケットを前記第１ノードから受信しなかったと判定した場合に、前記第２伝送方式が用いられたか否かを判定する手順と、
前記第２伝送方式が用いられると判定した場合に、前記第１ノードに前記第１伝送方式で伝送された少なくとも１つのパケットに対する応答パケットを、前記第１ノードから受信したか否かを判定する手順と、
前記応答パケットを前記第１ノードから受信したと判定した場合に、前記第２伝送方式で、前記応答パケットからのアドレスを用いて、前記第１ノードと通信するように構成する手順と
をさらにコンピュータに実行させるプログラムを記憶したコンピュータ読み取り可能な媒体。
【請求項２０】
請求項１９において、前記応答パケットを前記第１ノードから受信しなかったと判定した場合に、前記第２伝送方式で、前記コンピュータのＩＰアドレスを用いて、前記第１ノードと通信するように構成する手順をさらにコンピュータに実行させるプログラムを記憶したコンピュータ読み取り可能な媒体。
【請求項２１】
請求項１９において、前記第２伝送方式が必要でないと判定した場合に、前記第１伝送方式に従って前記第１ノードと通信するように構成する手順をさらにコンピュータに実行させるプログラムを記憶したコンピュータ読み取り可能な媒体。
【請求項２２】
請求項２１において、前記第１伝送方式に従って前記第１ノードと通信するように構成する手順は、前記第１ノードに前記第１伝送方式で伝送された前記少なくとも１つのパケットに対する応答パケットであって、前記第１ノードから受信された応答パケットからのアドレスを用いる手順をさらにコンピュータに実行させるプログラムを記憶したコンピュータ読み取り可能な媒体。
【請求項２３】
請求項２１において、前記第１伝送方式に従って前記第１ノードと通信するように構成する手順は、複数の自己ＩＰアドレスのうちの１つを用いる手順を含むプログラムを記憶したコンピュータ読み取り可能な媒体。
【請求項２４】
請求項１６において、前記第１ノードは、クライアントノードであるプログラムを記憶したコンピュータ読み取り可能な媒体。
【請求項２５】
請求項１６において、前記第１ノードは、サーバであるプログラムを記憶したコンピュータ読み取り可能な媒体。
【請求項２６】
請求項１６において、前記第１ノードは、ホストであるプログラムを記憶したコンピュータ読み取り可能な媒体。
【請求項２７】
請求項１８において、前記応答パケットを前記第２受信方式で前記第１ノードから受信しなかった場合に、前記第１伝送方式に従って前記第１ノードと通信するように構成する手順をさらにコンピュータに実行させるプログラムを記憶したコンピュータ読み取り可能な媒体。
【請求項２８】
請求項２７において、前記第１伝送方式に従って前記第１ノードと通信するように構成する手順は、前記第１伝送方式で前記第１ノードに伝送された前記少なくとも１つのパケットに対する応答パケットであって、前記第１ノードから受信した応答パケットからのアドレスを用いる手順をさらにコンピュータに実行させるプログラムを記憶したコンピュータ読み取り可能な媒体。
【請求項２９】
請求項２７において、前記第１伝送方式に従って前記第１ノードと通信するように構成する手順は、複数の自己ＩＰアドレスのうちの１つを用いる手順を含むプログラムを記憶したコンピュータ読み取り可能な媒体。
【請求項３０】
請求項１６において、前記第１伝送方式は、ユニキャスト伝送方式であるプログラムを記憶したコンピュータ読み取り可能な媒体。
【請求項３１】
請求項１６において、前記第１伝送方式は、マルチキャスト伝送方式であるプログラムを記憶したコンピュータ読み取り可能な媒体。
【請求項３２】
少なくとも１つのパケットをリモートノードに第１伝送方式で伝送し、
少なくとも１つのパケットを前記リモートノードに第２伝送方式で伝送し、
前記リモートノードに第２伝送方式で伝送した前記少なくとも１つのパケットに対する応答パケットが、前記リモートノードから受信されなかった場合に、前記第１伝送方式に従って前記リモートノードと通信するように構成した
ことを特徴とするコンピュータ。
【請求項３３】
請求項３２において、前記リモートノードに第２伝送方式で伝送された前記少なくとも１つのパケットに対する応答パケットが、前記リモートノードから受信された場合に、前記第２伝送方式に従って前記リモートノードと通信するように構成した、ことを特徴とするコンピュータ。
【請求項３４】
請求項３２において、前記第２伝送方式を用いるため、該第２伝送方式に従い、インディケーションに応答して、前記リモートノードと通信するように構成した、ことを特徴とするコンピュータ。
【請求項３５】
請求項３４において、前記リモートノードと前記第２伝送方式で通信するように構成するため、本コンピュータのＩＰアドレスを用いる、ことを特徴とするコンピュータ。
【請求項３６】
請求項３４において、前記第１伝送方式で伝送された前記少なくとも１つのパケットに応答して、前記リモートノードから応答パケットを受信し、
前記第２伝送方式に従って前記リモートノードと通信するように構成するため、前記第１伝送方式で伝送された前記少なくとも１つのパケットに対する応答パケットからのアドレスを用いる
ことを特徴とするコンピュータ。
【請求項３７】
請求項３２において、前記インディケーションは、本コンピュータのユーザにより供給されることを特徴とするコンピュータ。
【請求項３８】
請求項３２において、前記第１伝送方式は、ユニキャスト伝送方式であることを特徴とするコンピュータ。
【請求項３９】
請求項３２において、前記第１伝送方式は、マルチキャスト伝送方式であることを特徴とするコンピュータ。